(57)【要約】乗員拘束システムと共に使用する改良されたリールアセンブリが開示される。アセンブリは重大インシデント及び軽微インシデントの両方で乗員を拘束することができる二重ロッキング構成を採用する。軽微なインシデントの後、リールアセンブリはウェビングにカウンタテンションを加えることによってプッシュボタンにアクセスする必要なく容易にロック解除することができる。大きなインシデントの後、乗員がプッシュボタンを介してリールを係合解除するまでリールアセンブリはロックされたままである。大きなインシデントの力をリールアセンブリが受けるときウェビングシャフトの回転はまず、ロッキングドグの二つのロッキング歯の第１のロッキング歯とギア付きエンドプレートの二つの係合表面の第１の係合表面との係合により部分的に阻止され、その後第１及び第２のロッキング歯とそれぞれの第１及び第２の係合表面との組合わせ係合により完全に阻止される。【選択図】図２
2018525273.tif 000002
【特許請求の範囲】
【請求項１】
ウェビングの変位を制御するためのリールアセンブリであって、
ギア付きエンドプレートを備える、ウェビングが周りに巻き付けられるウェビングシャフトであって、該ウェビングシャフトの回転によりウェビングの変位が制御される、ウェビングシャフトと、
前記ギア付きエンドプレートに枢着される少なくとも一つのロッキング爪であって、該少なくとも一つのロッキング爪が枢動された姿勢及び枢動されない姿勢を有し、較正ばねがそれぞれのロッキング爪に固定され、前記較正ばねは前記それぞれのロッキング爪を前記枢動されない姿勢に付勢するように機能するバイアスを有し、該バイアスは前記ウェビングシャフトが第１の大きさを持つ力を受けるときに克服され、これにより前記それぞれのロッキング爪が前記枢動された姿勢に移る、少なくとも一つのロッキング爪と、
ギア付き内周を有するロッキングリングであって、該ロッキングリングは前記ギア付きエンドプレートの周囲に位置し、それに独立して回転可能であり、前記それぞれのロッキング爪は該それぞれのロッキング爪が前記枢動された姿勢にあるとき前記ロッキングリングの前記ギア付き内周に係合する、ロッキングリングと、
少なくとも二つのロッキング歯を持つロッキングドグであって、各ロッキング歯が、前記ウェビングの変位を防ぐように前記ギア付きエンドプレート上のそれぞれの係合表面を選択的にロックし係合するように構成される、ロッキングドグと、を含み、
前記ウェビングシャフトが前記第１の大きさを持つ力を受けるとき、前記ウェビングシャフトの回転が、前記それぞれのロッキング爪が前記ロッキングリングの前記内周と係合することにより、前記ギア付きエンドプレートの係合なしに阻止され、
及び、前記ウェビングシャフトが第２の大きさを持つ力を受けるとき、前記ウェビングシャフトの回転が、前記ロッキングドグの前記ロッキング歯が前記ギア付きエンドプレート上のそれらのそれぞれの係合表面と係合することにより阻止され、
前記第２の大きさは前記第１の大きさよりも大きい、リールアセンブリ。
【請求項２】
前記ロッキングドグが第１及び第２のロッキング歯を備え、前記ギア付きエンドプレートがそれぞれ第１及び第２の係合表面を備える、請求項1に記載のリールアセンブリ。
【請求項３】
前記ウェビングシャフトが前記第２の大きさを持つ力を受けるとき、前記ウェビングシャフトの回転は、最初に前記ロッキングドグの前記第１のロッキング歯と前記ギア付きエンドプレート上の前記第１の係合表面との係合により部分的に阻止され、その後第１及び第２のロッキング歯とそれらそれぞれの第１及び第２の係合表面との組み合わされた係合により完全に阻止される、請求項２に記載のリールアセンブリ。
【請求項４】
前記第１のロッキング歯が前記第１の係合表面と係合するとき、前記第２のロッキング歯と前記第２の係合表面との間にギャップが初め形成され、前記ギャップはその後、前記第１の係合表面の撓みによって前記第２のロッキング歯が前記第２の係合表面に係合するまで閉じられる、請求項３に記載のリールアセンブリ。
【請求項５】
前記第１のロッキング歯が前記第１の係合表面と係合するとき、前記第２のロッキング歯と前記第２の係合表面との間にギャップが初め形成され、前記ギャップはその後、前記第１のロッキング歯の撓みによって前記第２のロッキング歯が前記第２の係合表面に係合するまで閉じられる、請求項３に記載のリールアセンブリ。
【請求項６】
前記ギャップは、約０．１インチ〜０．００１インチの間にあるように選択される、請求項４に記載のリールアセンブリ。
【請求項７】
さらに、
前記ウェビングシャフトに隣接して配置される、係合位置及び係合解除位置を有するロッキングボルトであって、前記係合位置にあるとき前記ウェビングの変位が防止される、ロッキングボルトと、を含む請求項１に記載のリールアセンブリ。
【請求項８】
さらに、
前記ウェビングシャフトが前記第２の大きさを持つ力を受けるとき前記ロッキングリングの回転により前記ロッキングボルトを前記係合位置に移動させるためのトリガと、を含む請求項７に記載のリールアセンブリ。
【請求項９】
前記第２の大きさを持つ力を受けるときに前記トリガと係合可能な加速度計と、をさらに含む請求項８に記載のリールアセンブリ。
【請求項１０】
前記ロッキングドグは前記ギア付きエンドプレートに隣接して枢着され、前記ロッキングボルトが前記係合解除位置にあるとき前記ロッキングドグが前記ギア付きエンドプレートから解除され、前記ロッキングボルトが前記係合位置にあるとき前記ロッキングドグが前記ギア付きエンドプレートと係合し、前記ギア付きエンドプレートに係合する前記ロッキングドグにより前記ウェビングの前記ウェビングシャフトからの変位が防止される、請求項７に記載されたリールアセンブリ。
【請求項１１】
前記ロッキングボルトが細長い切欠きを含み、前記ロッキングドグが前記細長い切欠き内に重なる遠位端を含み、前記ロッキングボルトが前記係合位置にあるときに、前記細長い切欠きの幾何学的形状が、前記ロッキングドグを前記ギア付きエンドプレートと係合させる、請求項７に記載のリールアセンブリ。
【請求項１２】
前記第２のロッキング歯が前記第１のロッキング歯に対して角度を成す、請求項１に記載のリールアセンブリ。
【請求項１３】
ウェビングの変位を制御するリールアセンブリであって、
エンドプレートを備え、ウェビングが巻回されるウェビングシャフトと、
ロック姿勢とロック解除姿勢とを持つ、前記エンドプレートに枢着される爪であって、前記ウェビングシャフトが第１の大きさを持つ力を受けると前記ロック姿勢になる爪と、
前記エンドプレートの周囲に配置され、内周を有するロッキングリングであって、前記ウェビングシャフトが前記第１の大きさを持つ力を受けると、前記爪が前記ロッキングリングの前記内周に係合することにより、前記エンドプレートの係合なしに、前記ウェビングシャフトの回転が阻止される、ロッキングリングと、
少なくとも２つのロッキング歯を有するロッキングドグであって、前記ウェビングシャフトが第２の大きさを持つ力を受けるときに前記ロッキングリングの回転時のウェビングの変位を防止するために、各ロッキング歯が前記エンドプレート上のそれぞれの係合表面に選択的にロックし係合するように構成される、ロッキングドグと、を含み、
前記第２の大きさは前記第1の大きさよりも大きい、リールアセンブリ。
【請求項１４】
前記エンドプレートと前記ロッキングリングの両方がギア付きである、請求項１３に記載のリールアセンブリ。
【請求項１５】
前記エンドプレート及び前記ロッキングリングは、互いに独立して回転する、請求項１４に記載のリールアセンブリ。
【請求項１６】
前記爪に固定された較正ばねをさらに備え、該較正ばねは、前記爪をロック解除姿勢に付勢するように機能するバイアスを有し、該バイアスは前記ウェビングシャフトが前記第1の大きさを持つ力を受けたときに克服され、これにより前記爪がロック姿勢に移される、請求項１３に記載のリールアセンブリ。
【請求項１７】
前記ロッキングドグをトリガするのに使用される加速度計をさらに備える、請求項１３に記載のリールアセンブリ。
【請求項１８】
前記ロッキングドグが第１及び第２のロッキング歯を備え、前記ギア付きエンドプレートが対応する第１及び第２の係合表面を備える、請求項１３に記載のリールアセンブリ。
【請求項１９】
前記ウェビンシャフトが前記第２の大きさの力を受けると、前記ウェビングシャフトの回転は、先ず、前記ロッキングドグの前記第１のロッキング歯と前記ギア付きエンドプレートの前記第１の係合面との係合によって部分的に阻止され、その後、第１及び第２のロッキング歯とそれぞれの第１及び第２の係合表面との組合せ係合により完全に阻止される、請求項１８に記載のリールアセンブリ。
【請求項２０】
前記第１のロッキング歯が前記第１の係合表面に係合したときに、前記第２のロッキング歯と前記第２の係止表面との間にギャップが最初に画成され、その後前記ギャップは、前記第１の係合表面の撓みによって、前記第２のロッキング歯が前記第２の係合表面に係合するまで閉じられる、請求項１９に記載のリールアセンブリ。
【請求項２１】
前記第１のロッキング歯が前記第１の係合表面に係合したときに、前記第２のロッキング歯と前記第２の係止表面との間にギャップが最初に画成され、その後前記ギャップは、前記第１のロッキング歯の撓みによって、前記第２のロッキング歯が前記第２の係合表面に係合するまで閉じられる、請求項１９に記載のリールアセンブリ。
【請求項２２】
前記ギャップが、約０．１インチ〜０．００１インチの間にあるように選択される、請求項２０に記載のリールアセンブリ。
【請求項２３】
ウェビングの変位を制御するリールアセンブリであって、
エンドプレートを備え、ウェビングが巻回されるウェビングシャフトと、
少なくとも２つのロッキング歯を有するロッキングドグであって、前記ウェビングシャフトが所定の大きさの力を受けるときにロッキングリングの回転時のウェビングの変位を防止するために、各ロッキング歯が前記エンドプレート上のそれぞれの係合表面に選択的にロックし係合するように構成される、ロッキングドグと、を含むリールアセンブリ。
【請求項２４】
前記ロッキングドグをトリガする際に使用される加速度計をさらに備える、請求項２３に記載のリールアセンブリ。
【請求項２５】
前記ロッキングドグが第１及び第２のロッキング歯を備え、前記ギア付きエンドプレートが対応する第１及び第２の係合表面を備える、請求項２３に記載のリールアセンブリ。
【請求項２６】
前記ウェビングシャフトが前記所定の大きさの力を受けるとき、前記ウェビングシャフトの回転は、最初に前記ロッキングドグの前記第１のロッキング歯と前記ギア付きエンドプレート上の前記第１の係合表面との係合により部分的に阻止され、その後第１及び第２のロッキング歯とそれらそれぞれの第１及び第２の係合表面との組み合わされた係合により完全に阻止される、請求項２５に記載のリールアセンブリ。
【請求項２７】
前記第１のロッキング歯が前記第１の係合表面に係合したときに、前記第２のロッキング歯と前記第２の係合表面との間にギャップが最初に画成され、その後前記ギャップは、前記第１の係合表面の撓みによって、前記第２のロッキング歯が前記第２の係合表面に係合するまで閉じられる、請求項２６に記載のリールアセンブリ。
【請求項２８】
前記第１のロッキング歯が前記第１の係合表面に係合したときに、前記第２のロッキング歯と前記第２の係合表面との間にギャップが最初に画成され、その後前記ギャップは、前記第１のロッキング歯の撓みによって、前記第２のロッキング歯が前記第２の係合表面に係合するまで閉じられる、請求項２６に記載のリールアセンブリ。
【請求項２９】
前記ギャップが、約０．１インチ〜０．００１インチの間にあるように選択される、請求項２８に記載のリールアセンブリ。
【発明の詳細な説明】
【技術分野】
【０００１】
１．技術分野
【０００２】
本発明は、乗員拘束システムと共に使用するためのリールロックに関する。より詳細には、本発明は、二重ロッキング機構を有するリールアセンブリ内で使用するための改良されたロッキングドグに関し、重大ではない事象中に不要な「煩わしいロッキング」を引き起こすことなく、主要な事象中に乗員を拘束することができる。
【背景技術】
【０００３】
２．背景技術の説明
【０００４】
ハーネスリールの使用が、背景技術において知られている。例えば、Ｆｒｉｓｋの米国特許第４，８０１，１０５号は、ショルダーハーネスを引き込んで係止するためのリールアセンブリを開示している。アセンブリは、爪車に取り付けられたストラップ支持スプールを含む。ストラップがリールから急速に引き出されると、慣性質量がリールに対して回転する。これにより、慣性質量が軸方向に前方に移動し、リールを係止するドグを動かす。
【０００５】
同様に、Ｗａｒｒｉｃｋの米国特許第５，６３６，８０７号は、慣性ウェイトを使用する航空機用の加速度センサを開示している。慣性ウェイトは、リンク機構を介してチャンバ内で移動可能である。リンク機構は、航空機の複数の方向への移動に応答して同じ出力を提供するようなものである。
【発明の概要】
【発明が解決しようとする課題】
【０００６】
これらの発明はそれぞれの目的を達成しているが、異なるイベントに応答して独立にトリガ及び解除することができる別個のロッキング機構を備えたリールアセンブリの必要性が当該分野で依然として存在する。さらに、リールに提供される任意の長さのウェビングについて、スプール上のウェビングの９０％で少なくとも５，０００重量ポンドを保持することができる改良されたロッキングドグが必要とされている。
【課題を解決するための手段】
【０００７】
従って、本発明の目的の１つは、別個のロッキング機構を備えたリールアセンブリを提供することである。
【０００８】
本発明の別の目的は、第１及び第２のロッキング機構を備えたリールを提供することであり、第１の機構は大きなインシデントに応答してトリガされ、第２の機構は小さなインシデントに応答してトリガされる。
【０００９】
本発明の別の目的は、大きなインシデントの後にリールをリセットするためにリセットボタンにアクセスすることをユーザに要求することである。
【００１０】
本発明のさらなる目的は、ハーネスウェビングにカウンタテンションを加えることにより軽微なインシデントの後にリールアセンブリをリセットすることを可能にすることである。
【００１１】
本発明のさらなる目的は、ＭＩＬ‐Ｒ‐８２３６Ｆの要求に従ってスプール上のウェビングの９０％で最低限５，０００重量ポンドをリールアセンブリが保持できるようにすることである。
【００１２】
前述のことは、以下の本発明の詳細な説明がよりよく理解されるように、本発明のより適切かつ重要な特徴をある程度広範に概説しているので、当該技術への現在の貢献がより十分に理解され得る。本発明の追加の特徴が以下に記載され、本発明の特許請求の範囲の目的を形成する。当業者は、開示された概念及び特定の実施形態が、本発明の同じ目的を実行するための他の構造を修正又は設計するための基礎として容易に利用され得ることを理解するであろう。また、当業者は、そのような均等な構成が、添付の特許請求の範囲に記載された本発明の思想及び範囲から逸脱しないことも理解するであろう。
【００１３】
本発明の性質および目的をより十分に理解するために、添付の図面に関連して以下の詳細な説明が参照されるであろう。
【図面の簡単な説明】
【００１４】
【図１】図１は、本発明のリールアセンブリの斜視図である。
【図２】図２は、ロック解除姿勢のリールアセンブリの第１のロッキング機構を示す断面図である。
【図３】図３は、ロック姿勢のリールアセンブリの第１のロッキング機構の断面図である。
【図４】図４は、ロック解除姿勢のリールアセンブリの第２ロッキング機構の断面図である。
【図５】図５は、ロック姿勢のリールアセンブリの第２ロッキング機構の断面図である。
【図６】図６は、第１及び第２のロッキング機構の両方を示すリールアセンブリの部分分解図である。
【図７】図７は、ロック解除姿勢の第１のロッキング機構アセンブリの斜視破断図である。
【図８】図８は、ロック姿勢の第１のロックキング機構の斜視破断図である。
【図９】図９は、本発明の別の態様による二重歯のあるドグの斜視図である。
【図１０】図１０は、図９の線１０‐１０沿って一様に取られた二重歯のあるドグの断面図である。
【図１１】図１１は、本発明のさらなる態様に従って、ギア付きエンドプレートと係合した、図９に示された二重歯ドグの断面分離図である。
【発明を実施するための形態】
【００１５】
同様の参照符号は、図面のいくつかの図を通して同様の部分を指す。
【００１６】
本発明は、乗物の乗員拘束システムと連結して使用するための改良されたリールアセンブリに関する。このアセンブリは、重大インシデントおよび軽微インシデントの両方で乗員を拘束することができる二重ロッキング構成を採用する。衝突のような大きなインシデントの後、リールアセンブリは、乗員がプッシュボタンにアクセスしてリールを係合解除するまで、ロックされたままである。倒れ込みのような軽微なインシデントの後、プッシュボタンにアクセスする必要なく、拘束ウェビングにカウンタテンションを加えることによって、リールアセンブリを容易にロック解除することができる。以下、本発明の詳細をさらに十分に説明する。
【００１７】
図１を参照すると、本発明の改良されたリールアセンブリが示されている。リールアセンブリ２０は、ある長さのウェビング２４及び関連するロッキング及び巻取り機構を含むハウジング２２を含む。これらの機構は、ウェビング２４の引き出し及び収縮を制御し、以下により詳細に説明される。クリップ、留め具又はカラビナのような取付け具２６をウェビング２４の端部に取付け、腰ベルト又はボディハーネスのような乗員拘束具にウェビング２４を固定するのに使用することができる。
【００１８】
リールアセンブリ２０は、多種多様な乗物拘束システムのいずれかとともに使用することができる。例えば、リールアセンブリ２０は、Ｖａｎ Ｄｒｕｆｆらの米国特許第７，２７５，７１０号（その内容は参照により本明細書に組み込まれる）に開示されている航空機乗務員拘束システムに関連して使用することができる。この点に関して、リールアセンブリ２０は、アセンブリを航空機乗務員室の内側に固定するための１つ以上の取り付け開口部を含む。リールは、同様に、自動車又はボート等の他の乗物内に容易に固定することができる。
【００１９】
拘束システムに関連して使用されるとき、リールアセンブリ２０は、大きなインシデント及び小さなインシデントの両方で乗員を拘束する働きをする。「大きなインシデント」は、一般に、ウェビング２４に１００ポンド以上の力が加えられるような事象として定義される。例えば、大きなインシデントは、ハーネスをつけた乗務員が高度の急激な変化又は過剰なＧ力に遭遇したときに発生し得る。対照的に、「小さなインシデント」は、一般に、１００ポンド未満の力がウェビング２４に加えられるような事象として定義される。例えば、小さなインシデントは、ハーネスをつけた乗務員が乗務員室内で動く又は倒れ込むときに発生する場合がある。リールアセンブリ２０は、小さなインシデント及び大きなインシデントに対して２つの異なるロッキング機構を使用する。
【００２０】
大きなインシデントによって作動する第１のロッキング機構は、図２及び図３の断面図に示されている。図示されているように、アセンブリは、ウェビング２４を巻き付けたり解いたりすることができるシャフト２８を含む。シャフト２８は、ギア付きエンドプレート３２を含む。図４及び図５に示すように、エンドプレート３２は、周縁ロッキングリング３４に対面する関係で固定される。大きなインシデントがない場合、ウェビング２４がシャフト２８から引き出されたり収縮されるのに従って、エンドプレート３２はロッキングリング３４とともに回転する。しかしながら、大きなインシデントの間、ロッキングリング３４は、シャフト２８及びエンドプレート３２とは独立に回転可能である。言い換えると、１００ポンドを超える力がウェビング２４に加えられると、ロッキングリング３４はエンドプレート３２の面に沿って並ぶ。この点について、リング３４及びエンドプレート３２は、ウェビング２４のあまり強力でない引き出しの間、リング３４及びプレート３２と係合させる摩擦クラッチを介して接続され得る。適切な接続を提供するためにばねを使用することもできる。そのような接続の１つがＦｒｉｓｋの米国特許第４，９５５，５５６号に記載され、その内容は参照により本明細書に組み込まれる。これらの機構のいずれを採用しても、ウェビング２４の迅速な引き出しは、ロッキングリング３４をシャフト２８の回転よりもわずかに遅れて回転させる。理想的には、この機構は、リング３４の独立した回転を引き起こすのに必要な力が調節可能であるようなものである。このようにして、大きなインシデントをトリガするのに必要な閾値を調整することができる。
【００２１】
第１のロッキング機構は、トリガ３８と、リング３４とシャフト２８との間に配置されたトリガレバー５２を含む相互接続されたロックシリンダをさらに含む。ロッキングリング３４をシャフト２８に対して回転させると、トリガ３８がリング３４の内側面の傾斜ランプ３６に係合する。図６は、リング３４の相対回転中にランプ３６に係合するトリガ３８を示す。これは、ハウジング２０の長さに平行な方向にトリガ３８と接続されたトリガレバー５２との両方を移動させる結果となる。トリガレバー５２は、さらに、ロッキングボルト４２に接続される。トリガレバー５２の動きによって、ロッキングボルト４２が下方に摺動することができる。図７及び図８に示すように、ボルト４２は、切欠き４４を含み、ハウジング４６内に収容される。
【００２２】
続けて図７及び図８を参照し、ボルト４２は、概して矢印４３で示す方向にばね５０によってハウジング４６の外部に向かって付勢される。従って、大きなインシデントの間に、トリガ３８がランプ４０に係合すると、トリガレバー５２がボルト４２に関して軸方向に移動される。これは、次に、ボルトがばね５０の付勢によりハウジング４６内で外向きに移動できるようにする。ボルト４２の摺動運動は、主ロッキングドグ４８の枢動をトリガする。より具体的には、ボルト４２が外方にスライドすると、ロッキングドグ４８の一部が切欠き４４の拡張部分と対面する。これは、次に、ドグの遠位端がギア付きエンドプレート３２の歯と係合するように、ばねがロッキングドグ４８を枢動できるようにする。
【００２３】
さらに、図７及び図８に示すように、ボルト４２の外側への移動はまた、プッシュボタン５４を保護ハウジング５６内でアクセス可能にする。従って、大きなインシデントが発生した後、ウェビングシャフト３２はロッキングドグ４８によってロックされたままであり、それによりシャフト２８の回転及びウェビング２４のさらなる引き出しを制止することができる。これは、関連するハーネス内の乗員の動きを抑制するのに役立つ。ウェビングシャフト２８は、乗員がボタン５４にアクセスして押すまでロックされたままである。ボタン５４を押圧することにより、ボルト４２は、矢印４３で示されるのと反対の方向にスライドされ、それにより、ロッキングドグ４８及びトリガ３８を係合解除することができる。その結果、第１のロッキング機構がリセットされ、ウェビング２４は、上述のように再び引き出され、又は引き込まれることができる。
【００２４】
小さなインシデントによって起動される第２のロッキング機構が次に、図４及び図５とともに説明される。これらの図は、ギア付きエンドプレート３２の面に枢着される一連の爪５８を示す。プレート３２に連結されているが、爪５８の遠位端は、ロッキングリング３４の内周に周状に配置された凹部６４に係合するように適合されている。爪５８は、較正ばね６２を介して係合解除状態に維持される。これらのばね６２は、エンドプレート３２と爪５８の遠位端との間に相互接続される。ばねの力は、所定の求心力に遭遇するまで（すなわち、小さなインシデントの発生により）、爪５８が係合解除姿勢に維持されるようなものである。このような力に遭遇すると、爪５８は外方向に枢動して凹部６４に係合する。これにより、シャフト２８の回転、ひいてはウェビング２４のさらなる移動が防止されるであろう。この姿勢において、乗員は拘束される。
【００２５】
小さなインシデントが発生した後、爪５８は、ウェビング２４に単にカウンタテンションを加えることによってリセットされ得る。すなわち、ウェビング２４を引き戻すことによって、爪５８の遠位端が凹部６４から取り外され、その後、ばね６２は、爪５８を係合解除された姿勢に回転させる働きをする。そしてウェビングシャフト３２は自由に回転し、乗員は航空機内を自由に移動することができる。
【００２６】
代替的な実施形態
【００２７】
次に、本発明の具体的な実装について、図１〜８を参照して説明される。主な実施形態の場合と同様に、この実装は、大きなインシデント及び小さなインシデントの両方において、ある長さのウェビング２４の変位を制御することにより乗物の乗員を拘束するための二重ロッキング機構を含む。従来のように、ウェビング２４は、その遠位端に、ハーネス又は他の拘束システムに解除可能に固定され得るウェビング留め具２６を含む。
【００２８】
ウェビング２４は、リールアセンブリ２０の内部のウェビングシャフト２８に巻かれる。図２に示すように、シャフト２８は一端にギア付きプレート３２を含む。拘束された乗員が乗物において移動できるように、十分な長さのウェビング２４が含まれる。第１の意義におけるシャフト２８の回転は、ウェビング２４の変位と、乗物内の乗員の自由な移動を可能にするのに十分な弛緩の生成とをもたらす。同様に、反対の意義におけるシャフト２８の回転は、乗員の移動を制限するように弛みを取り除く。以下により詳細に説明するように、２つの別個の機構がシャフト２８の回転の防止にかかわる。これらのメカニズムは、乗員が倒れ込む事象（小さなインシデント）、又は乗物が事故に関わる事象（大きなインシデント）におけるいずれの移動からも乗員を効果的に拘束する。
【００２９】
図４及び図５に示すように、一対のロッキング爪５８がギア付きエンドプレート３２に枢着される。図４は、枢動されない姿勢の爪５８を示しており、図５は、枢動された姿勢の爪５８を示している。較正ばね６２が各ロッキング爪５８に固定され、爪５８を非枢動姿勢に付勢する働きをする。ウェビングシャフト２８が所定の速度で回転されと、これらのばねの付勢に求心加速度が打ち勝ち得る。このような力が生ずると、爪５８は、枢動姿勢へ外方向に押しやられ、それによって爪５８の少なくとも１つが周囲のロッキングリング３４に係合する（図５参照）。
【００３０】
図示されているように、ロッキングリング３４は、爪５８の１つと係合するように適合されたギア付き内周を含む。ロッキングリング３４はまた、関連するランプ３６を有する外側表面を含む（図６参照）。このランプの機能は、以下でより詳細に説明される。ロッキングリング３４は、ギア付きエンドプレート３２の周りに配置され、それに対して独立して回転可能である。しかしながら、ロッキングリング３４とロッキング爪５８とは、ロッキング爪５８の一つがロッキングリング３４のギア付き内周に係合されると一緒に回転する。これが起こると、ウェビングシャフト２８の回転は、ロッキングリング３４の対応する回転を引き起こす。ロッキングリング３４の回転に抵抗するために、ばね区画４０及び内部ばねが含まれている。
【００３１】
次に、ロッキングボルト４２の動作について、図７及び図８に関連して説明される。ロッキングボルト４２は、その長さに沿って細長い切欠き４４を含み、ウェビングシャフト２８に隣接して配置される。ロッキングボルト４２は、係合位置と係合解除位置との両方を有する。ばね５０は、ロッキングボルト４２を係合位置に付勢するために使用される。引き続き図７及び図８を参照して、トリガ３８及びトリガレバー５２は、ロッキングボルト４２に作動的に連結され、ロッキングボルト４２をその係合解除姿勢又はその係合姿勢のいずれかに保持するように動作する。より具体的に、トリガレバー５２は、ロッキングボルト４２の下側の範囲に係合し、それをばね５０の付勢に抗して係合解除位置に維持する。
【００３２】
図６を参照すると、トリガ３８は、ロッキングリング３４の延長した回転の間、ロッキングリング３４の外側表面上のランプ３６と係合するように適合されていることが分かる。すなわち、トリガ３８は、ロッキングリング３４が４５度を超えて回転するとランプ３６に係合する。これが起こると、トリガレバー５２が一時的にロッキングボルト４２を係合解除するように、トリガ３８とトリガレバー５２の両方が枢動する。トリガレバー５２のこの変位は、ばね５０がロッキングボルト４２を係合位置に押し込むことを可能にする。このロッキングボルト４２の移動は、次に、ロッキングドグ４８がギア付きエンドプレート３２と係合して、ウェビング２４の更なる変位を禁止することを可能にする。
【００３３】
ロッキングドグ４８は、ギア付きエンドプレート３２に隣接して枢着され、ロッキングボルト４２の細長い切欠き４４内に重なる遠位端を有する。図７に示されるように、細長い切り欠き４４は、ロッキングボルト４２が係合解除位置にあるときに、ロッキングドグ４８がギア付きエンドプレート３２に係合するのを防止する。しかしながら、ロッキングボルト４２が係合位置にあるとき、細長い切欠き４４の幾何学的形状は、ロッキングドグ４８がギア付きエンドプレート３２に係合することを可能にする（図８に示す）。ロッキングドグ４８がそのように係合されることにより、ウェビング２４がウェビングシャフト２８からずれることが防止され、乗員が効果的に拘束される。
【００３４】
動作中、ウェビングシャフト２８が所定の速度で回転すると、ロッキング爪５８が枢動された姿勢に移り、ロッキングリング３４に係合する。これにより、ウェビング２４のウェビングシャフト２８に対する変位が規制され、乗員が拘束される。このレベルの拘束は、乗客が転ぶ、又は倒れるような小さなインシデントの際にトリガされる。ロッキング爪５８は、張力がウェビング内に残っている限り、ロッキングリング３４内に係合したままである。ロッキング爪５８は、アセンブリをリセットするためにウェビング２４にカウンタテンションを加えることによって係合解除することができる。
【００３５】
車両事故のような大きなインシデントの際、ウェビング２４にかかる力は、ロッキング爪５８をロッキングリング３４に係合させ、さらに、ロッキングリング３４を４５度以上回転させるであろう。この回転は、順次トリガ３８をランプ３６に係合させ、それによってトリガレバー５２が変位するであろう。図８に示すように、その後、ばね５０がロッキングボルト４２を係合位置に移すことが可能になり、ロッキングドグ４８がギア付きエンドプレート３２に係合することができるであろう。ロッキングドグ４８が完全に係合すると、ウェビング２４の更なる変位が防止され、乗員が完全に拘束される。従って、大きなインシデントの際に、乗員は完全に拘束される。ユーザは、その後、ロッキングボルト４２の端部の押しボタンを介してロッキングドグ４８を解除することができる。上記に加えて、トリガ３８は、別個の加速度計６４によって始動されてもよい。この加速度計６４は、ロッキングドグ４８をトリガし、及び大きなインシデントの際にウェビングシャフト２８の回転を防止する別の独立した手段を提供する。
【００３６】
図９〜１１を参照すると、改善されたロッキングドグ７０が示されている。ロッキングドグ７０は、上述したロッキングドグ４８と同様であるが、第１のロッキング歯７４及び第２のロッキング歯７６を画成する段付きロッキング面７２を含む。ロッキングドグ７０は、ロッキングドグ４８に取って代わることができ、以下に詳細に説明するように、段付きロッキング面７２によってもたらされる改善された係止性能を除いて、ロッキングドグ４８と実質的に同じように動作するように構成されてよい。この目的のために、ロッキングドグ７０はエルボ部分７８のような作動面をさらに含み得、それは大きなインシデントの発生により枢動ロッキングドグ７０をロック解除された姿勢からロックされた姿勢へトリガするように、上述のトリガ機構によって係合され得る。
【００３７】
従来技術において見られた１つの欠点は、十分な荷重（大きなインシデントの間のロッキング事象の間に経験するような）を経験すると、ロッキングドグによって係合されたギア付きエンドプレート３２上のロッキング面が切れる場合がある。従って、ギア付きエンドプレート３２の剪断及びそれに続くリールアセンブリの故障を回避するために、ロッキングドグ７０は、第１及び第２のロッキング歯７４、７６を含み、ギア付きエンドプレート３２の２つのロッキング歯及び２つのロッキング表面にわたって荷重を分配する。例として、これに特に限定されないが、以前のリールアセンブリは、ギア付きエンドプレートが９０％のＷＯＳ（合計７２インチのウェビング）で約４，０００重量ポンド（ｌｂｆ）に曝されるとき、剪断破壊を被り得る。ロッキングドグ７０を組み込んだリールアセンブリは、リールアセンブリの故障なしに長期間にわたり９０％ＷＯＳで５，０００ｌｂｆを超える静荷重を保持することができることが分かっている。
【００３８】
上述したように、ロッキングドグ７０は、２つのロッキング歯／ギアエンドプレート表面にわたって荷重を分配することによって、保持強度を改善し、剪断破壊を最小にすることができる。段付きの第１及び第２のロッキング歯７４、７６の間の立ち上り部分は第１の係合表面８０を形成し、第２のロッキング歯７６とロッキングドグ７０の後面８２との間の立ち上り部分は第２の係合表面８４を形成する。図１０に最も明確に示されるように、第２係合表面８４は、第１係合表面８０の面に対して角度Ａで位置するように構成される。第２の係合表面８４の角を成す姿勢は、第２のロッキング歯がギア付きエンドプレートと平行であることを確実にし、係合するとギア歯に対して平坦な表面を提供することができる。第２のロッキング歯７６は、ノッチ部又は凹部９０をさらに含むことができる。本発明の一態様によれば、凹部９０は、第２のロッキング歯７６上、及び拡張してロッキングドグ７０上の負荷を分散する（すなわち、応力を低減する）ことを容易にし得る。
【００３９】
図１１に示すように、第１のロッキング歯７４は、第１の係合表面８０がギア付きエンドプレート３２の第１のロッキング表面８６に係合する間、第２のロッキング歯７６が初め第２のロッキング表面８８からギャップＧだけわずかに離れるように、枢動される場合がある。本発明の一態様によれば、ギャップＧによって画成される距離は、約０．１〜約０．００１インチの間、より具体的には約０．０１〜約０．００１インチの間であってもよい。極端な負荷（例えば、約３，０００ｌｂｆより大きい負荷）の下では、ギア付きエンドプレート３２上の第１のロッキング表面８６が曲がり始める場合がある。本発明の一態様によれば、第１のロッキング表面８６の撓みは、ロッキングドグ７０及びギア付きプレート３２の材料特性及び形状の注意深い選択によって達成され、第１のロッキング表面８６が、第１のロッキング歯８０の前に歪み始めることを確実にするだろう。また、当業者であれば分かるように、材料及び形状の選択によって、ギア付きプレート３２の前にロッキング歯７４を撓ませることが可能であろう。第１のロッキング表面８６（又は第１のロッキング歯７４）の撓みの最大の度合いは、ギャップＧによって画成される距離を介して最初に選択される。極端な負荷の下で第１のロッキング表面８６（または第１のロッキング歯７４）が撓み続けると、ギャップ距離は、第２のロッキング歯７６が第２の係合表面８８に係合するまで低減される。この時点で、荷重は、第１のロッキング歯７４／第１の係合表面８６と第２のロッキング歯７６／第２の係合表面８８とにわたって分散される。この荷重の分散は、ギア付きエンドプレートの剪断の可能性を低減させ、リールの破損前にリールアセンブリによって保持され得る最大荷重を増加させる。
【００４０】
当業者であれば、リールアセンブリ内の所望の保持力及び／又は空間制限に応じて、複数の歯のロッキングドグの代替実施形態が使用され得ることが理解されるであろう。すなわち、３つ以上のロッキング歯を持つロッキングドグを使用することができ、そのような代替のロッキングドグは、本開示内に含まれるとみなされるべきである。追加的又は代替的に、二重歯ロッキングドグの上の記載は、第１のロッキング歯が第２のロッキング歯の前にギア付きエンドプレートと係合するシーケンスを開示するが、当業者であれば、このシーケンスが、第２のロッキング歯が第１のロッキング歯の前にギア付きエンドプレートと係合するように、及びそのようなシーケンスが本教示内で考慮されるべきであるように、逆さにされ得ることをさらに理解すべきである。
【００４１】
本開示は、添付の特許請求の範囲に含まれるもの、および前述の記載のものを含む。本発明は、ある程度の具体性を有する好適な形態で記載されているが、好適な形態の本開示は単なる例示としてなされたものであり、本発明の思想及び範囲から逸脱することなく、構成の詳細及び部品の組み合わせ並びに配置における多くの変更が可能であることが理解される。
【図１】
2018525273.tif 000003
【図２】
2018525273.tif 000004
【図３】
2018525273.tif 000005
【図４】
2018525273.tif 000006
【図５】
2018525273.tif 000007
【図６】
2018525273.tif 000008
【図７】
2018525273.tif 000009
【図８】
2018525273.tif 000010
【図９】
2018525273.tif 000011
【図１０】
2018525273.tif 000012
【図１１】
2018525273.tif 000013
【手続補正書】
【提出日】平成30年4月24日(2018.4.24)
【手続補正１】
【補正対象書類名】特許請求の範囲
【補正対象項目名】全文
【補正方法】変更
【補正の内容】
【特許請求の範囲】
【請求項１】
ウェビングの変位を制御するためのリールアセンブリであって、
ギア付きエンドプレートを備える、ウェビングが周りに巻き付けられるウェビングシャフトであって、該ウェビングシャフトの回転によりウェビングの変位が制御される、ウェビングシャフトと、
前記ギア付きエンドプレートに枢着される少なくとも一つのロッキング爪であって、該少なくとも一つのロッキング爪が枢動された姿勢及び枢動されない姿勢を有し、較正ばねがそれぞれのロッキング爪に固定され、前記較正ばねは前記それぞれのロッキング爪を前記枢動されない姿勢に付勢するように機能するバイアスを有し、該バイアスは前記ウェビングシャフトが第１の大きさを持つ力を受けるときに克服され、これにより前記それぞれのロッキング爪が前記枢動された姿勢に移る、少なくとも一つのロッキング爪と、
ギア付き内周を有するロッキングリングであって、該ロッキングリングは前記ギア付きエンドプレートの周囲に位置し、それに独立して回転可能であり、前記それぞれのロッキング爪は該それぞれのロッキング爪が前記枢動された姿勢にあるとき前記ロッキングリングの前記ギア付き内周に係合する、ロッキングリングと、
第１及び第２のロッキング歯を持つロッキングドグであって、各ロッキング歯が、前記ウェビングの変位を防ぐように前記ギア付きエンドプレート上のそれぞれの第１及び第２の係合表面を選択的にロックし係合するように構成される、ロッキングドグと、を含み、
前記ウェビングシャフトが前記第１の大きさを持つ力を受けるとき、前記ウェビングシャフトの回転が、前記それぞれのロッキング爪が前記ロッキングリングの前記内周と係合することにより、前記ギア付きエンドプレートの係合なしに阻止され、
及び、前記ウェビングシャフトが第２の大きさを持つ力を受けるとき、前記ウェビングシャフトの回転が、前記ロッキングドグの前記第１のロッキング歯が前記ギア付きエンドプレート上の前記第１の係合表面と係合することにより初め部分的に阻止され、その後前記第１及び第２のロッキング歯がそれぞれ第１及び第２の係合表面に組合せ係合することにより完全に阻止され、
前記第２の大きさは前記第１の大きさよりも大きく、
前記第１のロッキング歯が前記第１の係合表面に係合するとき前記第２のロッキング歯と前記第２の係合表面の間にギャップが初め画成され、
その後前記ギャップは、
ａ）前記第２のロッキング歯が前記第２の係合表面に係合するまでの前記第１の係合表面の撓み、又は
ｂ）前記第２のロッキング歯が前記第２の係合表面に係合するまでの前記第１のロッキング歯の撓み
のいずれかにより閉じられる、リールアセンブリ。
【請求項２】
前記ギャップは、約０．１インチ〜０．００１インチ（０．２５４ｃｍ〜０．００２５４ｃｍ）の間にあるように選択される、請求項１に記載のリールアセンブリ。
【請求項３】
さらに、
前記ウェビングシャフトに隣接して配置される、係合位置及び係合解除位置を有するロッキングボルトであって、前記係合位置にあるとき前記ウェビングの変位が防止される、ロッキングボルトと、を含む請求項１に記載のリールアセンブリ。
【請求項４】
さらに、
前記ウェビングシャフトが前記第２の大きさを持つ力を受けるとき前記ロッキングリングの回転により前記ロッキングボルトを前記係合位置に移動させるためのトリガと、を含む請求項３に記載のリールアセンブリ。
【請求項５】
前記第２の大きさを持つ力を受けるときに前記トリガと係合可能な加速度計と、をさらに含む請求項４に記載のリールアセンブリ。
【請求項６】
前記ロッキングドグは前記ギア付きエンドプレートに隣接して枢着され、前記ロッキングボルトが前記係合解除位置にあるとき前記ロッキングドグが前記ギア付きエンドプレートから解除され、前記ロッキングボルトが前記係合位置にあるとき前記ロッキングドグが前記ギア付きエンドプレートと係合し、前記ギア付きエンドプレートに係合する前記ロッキングドグにより前記ウェビングの前記ウェビングシャフトからの変位が防止される、請求項３に記載されたリールアセンブリ。
【請求項７】
前記ロッキングボルトが細長い切欠きを含み、前記ロッキングドグが前記細長い切欠き内に重なる遠位端を含み、前記ロッキングボルトが前記係合位置にあるときに、前記細長い切欠きの幾何学的形状が、前記ロッキングドグを前記ギア付きエンドプレートと係合させる、請求項３に記載のリールアセンブリ。
【請求項８】
前記第２のロッキング歯が前記第１のロッキング歯に対して角度を成す、請求項１に記載のリールアセンブリ。
【請求項９】
ウェビングの変位を制御するリールアセンブリであって、
エンドプレートを備え、ウェビングが巻回されるウェビングシャフトと、
ロック姿勢とロック解除姿勢とを持つ、前記エンドプレートに枢着される爪であって、前記ウェビングシャフトが第１の大きさを持つ力を受けると前記ロック姿勢になる爪と、
前記エンドプレートの周囲に配置され、内周を有するロッキングリングであって、前記ウェビングシャフトが前記第１の大きさを持つ力を受けると、前記爪が前記ロッキングリングの前記内周に係合することにより、前記エンドプレートの係合なしに、前記ウェビングシャフトの回転が阻止される、ロッキングリングと、
第１及び第２のロッキング歯を有するロッキングドグであって、前記ウェビングシャフトが第２の大きさを持つ力を受けるときに前記ロッキングリングの回転時のウェビングの変位を防止するために、各ロッキング歯が前記エンドプレート上のそれぞれの第１及び第２の係合表面に選択的にロックし係合するように構成される、ロッキングドグと、を含み、
前記ウェビングシャフトが第２の大きさを持つ力を受けるとき、前記ウェビングシャフトの回転が、前記ロッキングドグの前記第１のロッキング歯が前記エンドプレート上の前記第１の係合表面と係合することにより初め部分的に阻止され、その後前記第１及び第２のロッキング歯がそれぞれ第１及び第２の係合表面に組合せ係合することにより完全に阻止され、
前記第２の大きさは前記第1の大きさよりも大きく、
前記第１のロッキング歯が前記第１の係合表面に係合するとき前記第２のロッキング歯と前記第２の係合表面の間にギャップが初め画成され、
その後前記ギャップは、
ａ）前記第２のロッキング歯が前記第２の係合表面に係合するまでの前記第１の係合表面の撓み、又は
ｂ）前記第２のロッキング歯が前記第２の係合表面に係合するまでの前記第１のロッキング歯の撓み
のいずれかにより閉じられる、リールアセンブリ。
【請求項１０】
前記エンドプレートと前記ロッキングリングの両方がギア付きである、請求項９に記載のリールアセンブリ。
【請求項１１】
前記エンドプレート及び前記ロッキングリングは、互いに独立して回転する、請求項１０に記載のリールアセンブリ。
【請求項１２】
前記爪に固定された較正ばねをさらに備え、該較正ばねは、前記爪をロック解除姿勢に付勢するように機能するバイアスを有し、該バイアスは前記ウェビングシャフトが前記第1の大きさを持つ力を受けたときに克服され、これにより前記爪がロック姿勢に移される、請求項９に記載のリールアセンブリ。
【請求項１３】
前記ロッキングドグをトリガするのに使用される加速度計をさらに備える、請求項９に記載のリールアセンブリ。
【請求項１４】
前記ギャップが、約０．１インチ〜０．００１インチ（０．２５４ｃｍ〜０．００２５４ｃｍ）の間にあるように選択される、請求項９に記載のリールアセンブリ。
【請求項１５】
ウェビングの変位を制御するリールアセンブリであって、
エンドプレートを備え、ウェビングが巻回されるウェビングシャフトと、
第１及び第２のロッキング歯を有するロッキングドグであって、前記ウェビングシャフトが所定の大きさの力を受けるときにロッキングリングの回転時のウェビングの変位を防止するために、各ロッキング歯が前記エンドプレート上のそれぞれの第１及び第２の係合表面に選択的にロックし係合するように構成される、ロッキングドグと、を含み、
前記ウェビングシャフトが前記所定の大きさの力を受けるとき、前記ウェビングシャフトの回転が、前記ロッキングドグの前記第１のロッキング歯が前記エンドプレート上の前記第１の係合表面と係合することにより初め部分的に阻止され、その後前記第１及び第２のロッキング歯がそれぞれ第１及び第２の係合表面に組合せ係合することにより完全に阻止され、
前記第１のロッキング歯が前記第１の係合表面に係合するとき前記第２のロッキング歯と前記第２の係合表面の間にギャップが初め画成され、
その後前記ギャップは、
ａ）前記第２のロッキング歯が前記第２の係合表面に係合するまでの前記第１の係合表面の撓み、又は
ｂ）前記第２のロッキング歯が前記第２の係合表面に係合するまでの前記第１のロッキング歯の撓み
のいずれかにより閉じられる、リールアセンブリ。
【請求項１６】
前記ロッキングドグをトリガする際に使用される加速度計をさらに備える、請求項１５に記載のリールアセンブリ。
【請求項１７】
前記ギャップが、約０．１インチ〜０．００１インチ（０．２５４ｃｍ〜０．００２５４ｃｍ）の間にあるように選択される、請求項１５に記載のリールアセンブリ。
【国際調査報告】
2018525273.tif 000014
2018525273.tif 000015